【手続補正書】
【提出日】平成22年5月12日(2010.5.12)
【手続補正１】
【補正対象書類名】特許請求の範囲
【補正対象項目名】全文
【補正方法】変更
【補正の内容】
【特許請求の範囲】
【請求項１】
電解水に反応性の少ない素材で形成され、親水性処理を施した気液接触部材と、前記電解水を貯留する貯水部と、
一端部が前記気液接触部材に接触して設けられると共に、他端部が前記貯水部内の電解水に浸漬された吸水部材と、を備え、
前記吸水部材は前記貯水部内の電解水に浸漬された状態と、電解水から離間した状態とに切換可能とされ、
前記吸水部材が前記貯水部内の電解水に浸漬された状態では、前記貯水部より毛細管現象を利用して前記気液接触部材に前記電解水を供給し、当該気液接触部材に通風される空気を前記電解水に接触させることを特徴とする空気除菌装置。
【請求項２】
前記貯水部内に多孔質材料、又は、吸水性高分子材料を充填したことを特徴とする請求項１に記載の空気除菌装置。
【請求項３】
前記気液接触部材の周囲を開閉自在に密閉可能なカバーを備えたことを特徴とする請求項１乃至請求項２の何れかに記載の空気除菌装置。
【請求項４】
通電されて貯水部内の少なくとも塩化物イオンを含む水を電気化学的に処理することにより電解水を生成する電極と、該電極への通電を制御する制御手段とを備え、前記貯水部内の電解水を除菌する空気除菌装置において、
前記制御手段は、前記電極に印加する電流密度を一定とした状態で、前記貯水部内の水の温度によって変化する前記電極間の電圧値に基づき、該貯水部内の水が凍結していると判断される場合は、前記電極への通電を禁止し、
前記空気除菌装置は、更に前記貯水部内の水を解凍させるために前記気液接触部材に通風される空気を加熱する加熱手段を備え、前記制御手段は、前記電極間の電圧値に基づき、前記貯水部内の水が凍結する以前の所定の低温度以下に低下していると判断される場合は、前記加熱手段を動作させることを特徴とする空気除菌装置。
【手続補正２】
【補正対象書類名】明細書
【補正対象項目名】００１１
【補正方法】変更
【補正の内容】
【００１１】
請求項１の発明の空気除菌装置は、電解水に反応性の少ない素材で形成され、親水性処理を施した気液接触部材と、前記電解水を貯留する貯水部と、一端部が前記気液接触部材に接触して設けられると共に、他端部が前記貯水部内の電解水に浸漬された吸水部材と、を備え、前記吸水部材は前記貯水部内の電解水に浸漬された状態と、電解水から離間した状態とに切換可能とされ、前記吸水部材が前記貯水部内の電解水に浸漬された状態では、前記貯水部より毛細管現象を利用して前記気液接触部材に前記電解水を供給し、当該気液接触部材に通風される空気を前記電解水に接触させることを特徴とする。
【手続補正３】
【補正対象書類名】明細書
【補正対象項目名】００１２
【補正方法】変更
【補正の内容】
【００１２】
請求項２の発明の空気除菌装置は、請求項１に記載の発明において、前記貯水部内に多孔質材料、又は、吸水性高分子材料を充填したことを特徴とする。
【手続補正４】
【補正対象書類名】明細書
【補正対象項目名】００１３
【補正方法】変更
【補正の内容】
【００１３】
請求項３の発明の空気除菌装置は、請求項１乃至請求項２の何れかに記載の発明において、前記気液接触部材の周囲を開閉自在に密閉可能なカバーを備えたことを特徴とする。
【手続補正５】
【補正対象書類名】明細書
【補正対象項目名】００１４
【補正方法】変更
【補正の内容】
【００１４】
請求項４の発明の空気除菌装置は、通電されて貯水部内の少なくとも塩化物イオンを含む水を電気化学的に処理することにより電解水を生成する電極と、該電極への通電を制御する制御手段とを備え、前記貯水部内の電解水を除菌する空気除菌装置において、前記制御手段は、前記電極に印加する電流密度を一定とした状態で、前記貯水部内の水の温度によって変化する前記電極間の電圧値に基づき、該貯水部内の水が凍結していると判断される場合は、前記電極への通電を禁止し、前記空気除菌装置は、更に前記貯水部内の水を解凍させるために前記気液接触部材に通風される空気を加熱する加熱手段を備え、前記制御手段は、前記電極間の電圧値に基づき、前記貯水部内の水が凍結する以前の所定の低温度以下に低下していると判断される場合は、前記加熱手段を動作させることを特徴とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
請求項１の発明では吸水部材が貯水部内の電解水に浸漬された状態と、電解水から離間した状態とに切換可能とされているので、除菌を行わない場合に、吸水部材を貯水部から離間させることにより、電解水の自然蒸発による消耗を抑えることができるようになる。特に、本発明の空気除菌装置を車載する場合には、夏季に車内の温度が＋６０℃近くまで上昇するため、電解水の自然蒸発の防止がより効果的となる。
【手続補正１９】
【補正対象書類名】明細書
【補正対象項目名】００２８
【補正方法】変更
【補正の内容】
【００２８】
請求項２の発明では貯水部内に多孔質材料、又は、吸水性高分子材料を充填したので、貯水部からの漏水を更に効果的に防止することができるようになる。
【手続補正２０】
【補正対象書類名】明細書
【補正対象項目名】００２９
【補正方法】変更
【補正の内容】
【００２９】
請求項３の発明では、気液接触部材の周囲を開閉自在に密閉可能なカバーを設けたので、空気除菌を行わない場合には気液接触部材の周囲を密閉しておくことにより、電解水の自然蒸発による消耗を効果的に抑制することができるようになる。
【手続補正２１】
【補正対象書類名】明細書
【補正対象項目名】００３０
【補正方法】変更
【補正の内容】
【００３０】
請求項４の如き空気を加熱する空気調和装置（エアコン）等の加熱手段によって貯水部内の水の凍結を極力回避することができる。また、貯水部内の水が凍結している場合には、解凍を促進し、迅速に電解水の生成を実行できるようにすることができるようになるものである。
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】